(57)【要約】【課題】２つのサイコロ状部材の出目が揃うことがないため、誤って遊技者に期待感を抱かせることがないパチンコ遊技機の演出役物装置を提供する。【解決手段】互いに面数が等しい第一サイコロ状部材１３０及び第二サイコロ状部材１４０と、各サイコロ状部材を収容する収容部１１０と、各サイコロ状部材を転動させる転動手段１２０と、を具備する遊技機１の演出役物装置１００であって、各サイコロ状部材の面数と同数の種類を有する識別符号のうち、半数の種類の識別符号が第一サイコロ状部材１３０に、もう半数の種類の識別符号が第二サイコロ状部材１４０に、それぞれ割り当てられ、各サイコロ状部材に割り当てられた各識別符号は、対面に同一種類の識別符号が位置するように当該サイコロ状部材の各面に付される。【選択図】図９
2014008355.tif 000002
【特許請求の範囲】
【請求項１】
互いに面数が等しい第一のサイコロ状部材及び第二のサイコロ状部材と、
前記第一のサイコロ状部材及び前記第二のサイコロ状部材を遊技者から視認可能となるように収容する収容部と、
前記第一のサイコロ状部材及び前記第二のサイコロ状部材を前記収容部内で転動させる転動手段と、
を具備するパチンコ遊技機の演出役物装置であって、
前記第一のサイコロ状部材及び前記第二のサイコロ状部材の面数と同数の種類を有する識別符号のうち、半数の種類の識別符号が前記第一のサイコロ状部材に、もう半数の種類の識別符号が前記第二のサイコロ状部材に、それぞれ割り当てられ、
前記第一のサイコロ状部材に割り当てられた各識別符号は、対面に同一種類の識別符号が位置するように当該第一のサイコロ状部材の各面に付され、
前記第二のサイコロ状部材に割り当てられた各識別符号は、対面に同一種類の識別符号が位置するように当該第二のサイコロ状部材の各面に付されることを特徴とする、
パチンコ遊技機の演出役物装置。
【発明の詳細な説明】
【技術分野】
【０００１】
本発明は、サイコロ状部材を転動させて演出を行うパチンコ遊技機の演出役物装置の技術に関する。
【背景技術】
【０００２】
従来、サイコロ状部材を転動させて演出を行うパチンコ遊技機の演出役物装置の技術は公知となっている。例えば、特許文献１に記載の如くである。
【０００３】
特許文献１には、２つのサイコロ状部材（サイコロ）を遊技者から視認可能となるように収容する収容部と、当該２つのサイコロを収容部内で転動させる転動手段と、を具備するパチンコ遊技機の演出役物装置が開示されている。この演出役物装置においては、遊技球がワープルートを通過するのに応じて２つのサイコロを転動させることができる。
【０００４】
しかし、特許文献１に開示された演出役物装置は、２つのサイコロが転動する様子を演出として利用したものであり、当該２つのサイコロの出目（２つのサイコロが静止した際に、当該サイコロの上面に付されている識別符号の種類）が何であるかは演出や遊技結果とは無関係であった。
したがって、当該演出役物装置においては、２つのサイコロの出目が遊技結果（大当りか否か、確変か否か等）と無関係であるのに、偶然２つのサイコロの出目が揃った場合に、誤って遊技者に大当り等の期待感を抱かせるおそれがある点で不利であった。
【先行技術文献】
【特許文献】
【０００５】
【特許文献１】特開２００４−２４５９６号公報
【発明の概要】
【発明が解決しようとする課題】
【０００６】
本発明は以上の如き状況に鑑みてなされたものであり、その解決しようとする課題は、２つのサイコロ状部材の出目が揃うことがないため、誤って遊技者に期待感を抱かせることがないパチンコ遊技機の演出役物装置を提供することである。
【課題を解決するための手段】
【０００７】
本発明の解決しようとする課題は以上の如くであり、次にこの課題を解決するための手段を説明する。
【０００８】
即ち、請求項１においては、互いに面数が等しい第一のサイコロ状部材及び第二のサイコロ状部材と、前記第一のサイコロ状部材及び前記第二のサイコロ状部材を遊技者から視認可能となるように収容する収容部と、前記第一のサイコロ状部材及び前記第二のサイコロ状部材を前記収容部内で転動させる転動手段と、を具備するパチンコ遊技機の演出役物装置であって、前記第一のサイコロ状部材及び前記第二のサイコロ状部材の面数と同数の種類を有する識別符号のうち、半数の種類の識別符号が前記第一のサイコロ状部材に、もう半数の種類の識別符号が前記第二のサイコロ状部材に、それぞれ割り当てられ、前記第一のサイコロ状部材に割り当てられた各識別符号は、対面に同一種類の識別符号が位置するように当該第一のサイコロ状部材の各面に付され、前記第二のサイコロ状部材に割り当てられた各識別符号は、対面に同一種類の識別符号が位置するように当該第二のサイコロ状部材の各面に付されるものである。
【発明の効果】
【０００９】
本発明は、２つのサイコロ状部材の出目が揃うことがないため、誤って遊技者に期待感を抱かせることがなく、また当該遊技者に不自然な印象を与えることもない、という効果を奏する。
【図面の簡単な説明】
【００１０】
【図１】遊技機の全体的な構成を示した正面図。
【図２】同じく、遊技機の窓枠が開放された状態を示した前方斜視図。
【図３】同じく、遊技盤を示した正面図。
【図４】演出役物装置の配置の様子を示した前方斜視図。
【図５】（ａ）演出役物装置を示した平面一部断面図。（ｂ）同じく、側面一部断面図。
【図６】（ａ）転動手段のロッドが縮んだ時の様子を示した側面一部断面図。（ｂ）転動手段のロッドを勢い良く伸ばした時の様子を示した側面一部断面図。
【図７】（ａ）第一サイコロ状部材を示した斜視図。（ｂ）第一サイコロ状部材の各面に付される識別符号を示した分解斜視図。
【図８】（ａ）第二サイコロ状部材を示した斜視図。（ｂ）第二サイコロ状部材の各面に付される識別符号を示した分解斜視図。
【図９】（ａ）第一サイコロ状部材の各面に付される識別符号を示した斜視図。（ｂ）第二サイコロ状部材の各面に付される識別符号を示した斜視図。
【図１０】演出役物装置を示した正面図。
【図１１】（ａ）他の実施形態に係る第一サイコロ状部材を示した斜視図。（ｂ）他の実施形態に係る第二サイコロ状部材を示した斜視図。
【図１２】第二実施形態に係る演出役物装置を示した前方斜視図。
【発明を実施するための形態】
【００１１】
まず、本発明に係るパチンコ遊技機の一実施形態に係る遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１２】
遊技機１は、図１から図３が示すように、主として、外枠２と、中枠３と、窓枠４と、により構成される枠体に、各種の遊技部品が取り付けられて形成される。
【００１３】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１４】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１５】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１６】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１７】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１８】
次に、遊技盤６の構成について、図３を用いてさらに詳細に説明する。
【００１９】
遊技盤６は、図３に示すように、遊技板１０と、ガイドレール１１と、センター役物１２と、図柄表示装置１３と、可変入賞装置１４と、大入賞装置１５と、アウト口１６と、演出役物装置１００等により構成される。
【００２０】
遊技板１０は、四隅が適宜に切り欠けられた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
【００２１】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２２】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２３】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２４】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２５】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２６】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２７】
演出役物装置１００は、本発明に係る演出役物装置の第一実施形態であり、所定の演出動作を行うことにより、遊技者に視覚的な印象（インパクト）を与え、その遊技者の興趣を高めるものである。演出役物装置１００は、図柄表示装置１３（液晶画面２６）の下部前方、より詳細には、前後方向において液晶画面２６よりも前方であってセンター役物１２よりも後方に配置される（図４参照）。また、演出役物装置１００は、正面視においてセンター役物１２のセンター開口部２７と重複するように配置され、前方から当該センター開口部２７を介して演出役物装置１００を視認することができる。
【００２８】
以下では、図４から図１０までを用いて、演出役物装置１００の構成について詳細に説明する。
【００２９】
図４及び図５に示す演出役物装置１００は、サイコロの形状を模した部材が転動する様子を遊技者に視認させることで、当該遊技者に視覚的な印象（インパクト）を与え、その遊技者の興趣を高めるものである。演出役物装置１００は、主として、収容部１１０、転動手段１２０、第一サイコロ状部材１３０及び第二サイコロ状部材１４０を具備する。
【００３０】
収容部１１０は、第一サイコロ状部材１３０及び第二サイコロ状部材１４０を遊技者から視認可能となるように収容するものである。収容部１１０は、主として、ベース部材１１１、昇降部材１１２、カバー部材１１３及び背面部材１１４を具備する。
【００３１】
ベース部材１１１は、収容部１１０の土台となるものである。ベース部材１１１は、長手方向を左右方向に向けた略直方体状に形成される。ベース部材１１１には、貫通孔１１１ａが形成される。
【００３２】
貫通孔１１１ａは、ベース部材１１１の左右略中央部において、当該ベース部材１１１を上下方向に貫通するように形成される。貫通孔１１１ａは、平面視において弧を前方に向けた半円状となるように形成される。
【００３３】
昇降部材１１２は、第一サイコロ状部材１３０及び第二サイコロ状部材１４０が載置される部分（底部）を形成するものである。昇降部材１１２は、その板面を上下方向に向けた状態で、平面視において弧を前方に向けた半円状となるように形成される。昇降部材１１２は、平面視においてベース部材１１１の貫通孔１１１ａよりも一回り小さくなるように形成され、当該貫通孔１１１ａ内に配置される。
【００３４】
カバー部材１１３は、ベース部材１１１の貫通孔１１１ａを上方から覆うものである。カバー部材１１３は、アクリル樹脂やポリカーボネート（ＰＣ）等の透過性を有する部材によって形成される。カバー部材１１３は、内部が空洞となるように形成され、かつ球面を上方に向けて配置された半球を、さらに前後に半分に分割した場合の当該前半分の形状となるように形成される。カバー部材１１３は、ベース部材１１１の左右略中央部において、当該ベース部材１１１の貫通孔１１１ａを上方から覆うように当該ベース部材１１１に固定される。
【００３５】
背面部材１１４は、カバー部材１１３の後部を概ね閉塞するものである。背面部材１１４は、その板面を前後方向に向けた状態で、正面視において弧を上方に向けた半円状となるように形成される。背面部材１１４は、背面視においてカバー部材１１３の後部（半円状に開放された部分）よりも一回り小さくなるように形成される。背面部材１１４は、カバー部材１１３の後部の開放された部分を概ね閉塞するように配置され、ベース部材１１１に固定される。背面部材１１４の前面には、図柄や模様等の装飾が適宜施され、当該装飾は透明な（透過性を有する）カバー部材１１３を介して前方の遊技者から視認可能とされる。
【００３６】
上述の如く構成された収容部１１０において、ベース部材１１１、昇降部材１１２、カバー部材１１３及び背面部材１１４によって囲まれた空間が、後述する第一サイコロ状部材１３０及び第二サイコロ状部材１４０を収容する空間（以下、この空間を単に「収容空間」と記す）となる。またこの際、当該第一サイコロ状部材１３０及び第二サイコロ状部材１４０は、透明なカバー部材１１３を介して前方の遊技者から視認可能とされる。
【００３７】
図５に示す転動手段１２０は、第一サイコロ状部材１３０及び第二サイコロ状部材１４０を収容部１１０内で転動させるものである。転動手段１２０は、上下に伸縮可能なロッド１２１を有するアクチュエータ（ソレノイドアクチュエータ等）によって構成される。転動手段１２０は、ロッド１２１を上方に向けた状態で、昇降部材１１２の下方に配置される。当該転動手段１２０のロッド１２１の上端は、昇降部材１１２の下面に連結される。転動手段１２０は、ロッド１２１を最も伸ばしたときに昇降部材１１２の上面とベース部材１１１の上面の高さが一致するように配置される。このように構成された転動手段１２０において、当該転動手段１２０のロッド１２１を上下に伸縮させると、ベース部材１１１の貫通孔１１１ａ内で昇降部材１１２を上下に昇降させることができる。
【００３８】
なお、転動手段１２０は図示せぬ制御装置に接続され、当該制御装置によってその伸縮動作（伸縮するタイミング等）が制御される。
【００３９】
図４及び図５に示す第一サイコロ状部材１３０は、本発明に係る第一のサイコロ状部材の実施の一形態であり、６つの面を有する略正六面体のサイコロを模して形成されたものである。第一サイコロ状部材１３０の各面には、所定の識別符号が付される。第一サイコロ状部材１３０は、収容部１１０の収容空間に配置（より詳細には、昇降部材１１２上に載置）される。
【００４０】
第二サイコロ状部材１４０は、本発明に係る第二のサイコロ状部材の実施の一形態であり、６つの面を有する略正六面体のサイコロを模して形成されたものである。第二サイコロ状部材１４０の大きさ及び形状は、第一サイコロ状部材と略同一となるように形成される。第二サイコロ状部材１４０の各面には、所定の識別符号が付される。第二サイコロ状部材１４０は、収容部１１０の収容空間に配置（より詳細には、昇降部材１１２上に載置）される。
【００４１】
なお、第一サイコロ状部材１３０及び第二サイコロ状部材１４０に付される識別符号については後述する。
【００４２】
以下では、図５及び図６を用いて、演出役物装置１００の演出（動作態様）について説明する。
【００４３】
図５に示すように、演出役物装置１００は、演出を行わない場合、転動手段１２０のロッドを最も伸ばした状態で保持している。この状態では、昇降部材１１２の上面とベース部材１１１の上面の高さが一致し、当該昇降部材１１２及びベース部材１１１によって平面視長方形の１つの面（上面）が形成されている。また、この状態では、第一サイコロ状部材１３０及び第二サイコロ状部材１４０は昇降部材１１２上に載置され、静止している。
【００４４】
演出役物装置１００は、演出を行う場合、図６（ａ）に示すように転動手段１２０のロッド１２１を縮める。これによって、昇降部材１１２がベース部材１１１の貫通孔１１１ａ内を下方に摺動（下降）する。
【００４５】
次に、演出役物装置１００は、図６（ｂ）に示すように転動手段１２０のロッド１２１を元の長さ（最も伸ばした状態）まで勢い良く伸ばす。これによって、昇降部材１１２がベース部材１１１の貫通孔１１１ａ内を勢い良く上方に摺動（上昇）し、当該昇降部材１１２によって第一サイコロ状部材１３０及び第二サイコロ状部材１４０が上方に投げ上げられる。
【００４６】
上方に投げ上げられた第一サイコロ状部材１３０及び第二サイコロ状部材１４０は、再び昇降部材１１２上に落下し、その勢いで当該昇降部材１１２上を転動する。当該第一サイコロ状部材１３０及び第二サイコロ状部材１４０は、徐々に転動する勢いを失い、最終的に６つの面のうちのいずれか一面を上に向けた状態で静止する。
【００４７】
上記の第一サイコロ状部材１３０及び第二サイコロ状部材１４０が転動する様子は、透明なカバー部材１１３を介して前方の遊技者から視認される。このように、演出役物装置１００は、第一サイコロ状部材１３０及び第二サイコロ状部材１４０が転動する様子を遊技者に視認させることで、当該遊技者に視覚的な印象（インパクト）を与え、その遊技者の興趣を高めることができる。
【００４８】
なお、第一サイコロ状部材１３０及び第二サイコロ状部材１４０は、上述の如く転動手段１２０によって転動させられるものであり、その出目（第一サイコロ状部材１３０及び第二サイコロ状部材１４０が静止した際に、当該第一サイコロ状部材１３０及び第二サイコロ状部材１４０の上面に付されている識別符号の種類）を任意に制御することはできない。
【００４９】
具体的には、第一サイコロ状部材１３０及び第二サイコロ状部材１４０は、機械的に他の部材と連結されてその転動を制御されているわけではなく、磁石を用いたり重心を任意に偏らせたりするような細工が施されているわけでもないため、その出目を任意に制御することはできない。従って、当該第一サイコロ状部材１３０及び第二サイコロ状部材１４０の出目は無作為に決まるものであり、演出役物装置１００による演出や遊技機１の遊技結果とは何ら関係ない。
【００５０】
以下では、図７から図１０までを用いて、第一サイコロ状部材１３０及び第二サイコロ状部材１４０に付される識別符号について説明する。
【００５１】
第一サイコロ状部材１３０及び第二サイコロ状部材１４０には、当該第一サイコロ状部材１３０及び第二サイコロ状部材１４０の面数と同数の種類、すなわち６つの種類を有する識別符号が付される。
【００５２】
本実施形態に係る識別符号は、小さな点（目）が１つ記されたものから６つ記されたものまでの６種類を有する。当該識別符号は、それぞれ数字の１から６までを意味するものであり、一般的なサイコロ（６面ダイス）に付される識別符号と同様の識別符号である。以下では、説明の便宜上、当該６種類の識別符号をそれぞれ「１」、「２」、「３」、「４」、「５」及び「６」と呼ぶ。
【００５３】
図７及び図９（ａ）に示すように、第一サイコロ状部材１３０には、上記６種類の識別符号のうち、半数の種類（すなわち、３種類）の識別符号が割り当てられる。具体的には、第一サイコロ状部材１３０には、上記６種類の識別符号のうち、「１」、「３」及び「５」の識別符号（すなわち、奇数を意味する識別符号）が割り当てられる。
【００５４】
当該第一サイコロ状部材１３０に割り当てられた識別符号は、対面に同一種類の識別符号が位置するように当該第一サイコロ状部材１３０の各面に付される。
【００５５】
具体的には、図７に示すように、第一サイコロ状部材１３０における一の面である第一面１３１及び当該第一面１３１と対面を成す面（第一サイコロ状部材１３０において第一面１３１の反対側に位置する面）である第二面１３２には、「１」の識別符号が付される。
【００５６】
同様に、第一面１３１及び第二面１３２以外の面である第三面１３３及び当該第三面１３３と対面を成す面である第四面１３４には、「５」の識別符号が、第一面１３１、第二面１３２、第三面１３３及び第四面１３４以外の面である第五面１３５及び当該第五面１３５と対面を成す面である第六面１３６には、「３」の識別符号が、それぞれ付される。
【００５７】
一方、図８及び図９（ｂ）に示すように、第二サイコロ状部材１４０には、上記６種類の識別符号のうち、第一サイコロ状部材１３０に割り当てられなかったもう半数の種類（すなわち、残りの３種類）の識別符号が割り当てられる。具体的には、第二サイコロ状部材１４０には、上記６種類の識別符号のうち、「２」、「４」及び「６」の識別符号（すなわち、偶数を意味する識別符号）が割り当てられる。
【００５８】
当該第二サイコロ状部材１４０に割り当てられた識別符号は、対面に同一種類の識別符号が位置するように当該第二サイコロ状部材１４０の各面に付される。
【００５９】
具体的には、図８に示すように、第二サイコロ状部材１４０における一の面である第一面１４１及び当該第一面１４１と対面を成す面（第二サイコロ状部材１４０において第一面１４１の反対側に位置する面）である第二面１４２には、「６」の識別符号が付される。
【００６０】
同様に、第一面１４１及び第二面１４２以外の面である第三面１４３及び当該第三面１４３と対面を成す面である第四面１４４には、「２」の識別符号が、第一面１４１、第二面１４２、第三面１４３及び第四面１４４以外の面である第五面１４５及び当該第五面１４５と対面を成す面である第六面１４６には、「４」の識別符号が、それぞれ付される。
【００６１】
上述の如く構成された第一サイコロ状部材１３０及び第二サイコロ状部材１４０を一方向から視認した場合、図９に示すように、通常は当該第一サイコロ状部材１３０及び第二サイコロ状部材１４０が有する６つの面のうち、３つの面を視認することができる。
【００６２】
ここで、図９（ａ）に示すように、第一サイコロ状部材１３０のうち視認可能な３つの面と対面を成す面は、当該第一サイコロ状部材１３０の背後に位置するため、一方向からは視認することができない。すなわち、一方向から視認可能な３つの面に付された識別符号と同じ種類の識別符号は必ず当該第一サイコロ状部材１３０の背後に位置する面に付されているため、一方向から同じ種類の識別符号が２つ同時に視認されることはない。
【００６３】
具体的には、第一サイコロ状部材１３０のうち視認可能な３つの面にはそれぞれ「１」、「３」及び「５」の識別符号が付されており、いずれかの識別符号が一方向から２つ同時に視認されることはない。
【００６４】
同様に、図９（ｂ）に示すように、第二サイコロ状部材１４０についても、一方向から同じ種類の識別符号が２つ同時に視認されることはない。
【００６５】
具体的には、第二サイコロ状部材１４０のうち視認可能な３つの面にはそれぞれ「２」、「４」及び「６」の識別符号が付されており、いずれかの識別符号が一方向から２つ同時に視認されることはない。
【００６６】
以下では、上述の如く識別符号が付された第一サイコロ状部材１３０及び第二サイコロ状部材１４０を用いて演出役物装置１００による演出が行われた場合の様子について説明する。
【００６７】
演出役物装置１００による演出（図６参照）が行われた場合、当該第一サイコロ状部材１３０及び第二サイコロ状部材１４０はそれぞれ転動した後、いずれか一面を上に向けた状態で静止する。
【００６８】
このとき、第一サイコロ状部材１３０及び第二サイコロ状部材１４０には、それぞれ複数種類の識別符号が付されているため、当該演出を行うたびに当該第一サイコロ状部材１３０及び第二サイコロ状部材１４０の出目が変化し、サイコロのような転動感を遊技者に抱かせることができる。
【００６９】
またこのとき、第一サイコロ状部材１３０には奇数の識別符号のみが、第二サイコロ状部材１４０には偶数の識別符号のみが、それぞれ付されているため、当該第一サイコロ状部材１３０及び第二サイコロ状部材１４０の出目が揃う（出目が同じになる）ことがない。
【００７０】
前述の通り、当該第一サイコロ状部材１３０及び第二サイコロ状部材１４０の出目は演出役物装置１００による演出や遊技機１の遊技結果とは何ら関係ないため、本実施形態の如く第一サイコロ状部材１３０及び第二サイコロ状部材１４０の出目が揃うことが無いように構成することで、誤って遊技者に期待感を抱かせることを防止することができる。
【００７１】
また、静止した第一サイコロ状部材１３０及び第二サイコロ状部材１４０を正面から遊技者が視認した場合、当該第一サイコロ状部材１３０及び第二サイコロ状部材１４０において同じ種類の識別符号が２つ同時に視認されることはない。これによって、遊技者に不自然な印象を与えることがなく、当該第一サイコロ状部材１３０及び第二サイコロ状部材１４０の出目が揃うことが無いように識別符号の付し方に細工を施していることを見抜かれ難くすることができる。
【００７２】
なお、演出役物装置１００による演出において、図１０に示すように、まれに第一サイコロ状部材１３０及び第二サイコロ状部材１４０がいずれかの面を真正面に向けて静止する場合も想定される。この場合、正面にいる遊技者からは、各サイコロ状部材（第一サイコロ状部材１３０及び第二サイコロ状部材１４０）の前面Ｆ、上面Ｕ、左側面Ｌ及び右側面Ｒの計４つの面を視認されるおそれがある。左側面Ｌ及び右側面Ｒは対面であるため、同じ種類の識別符号が付されている。このため、当該左側面Ｌ及び右側面Ｒが遊技者に視認されると、当該遊技者に不自然な印象を与えるおそれがある。
【００７３】
しかしながら、本実施形態に係る演出役物装置１００は、図４に示すように、センター役物１２よりも後方の奥まった位置に配置されている。このため、遊技者から見ると、第一サイコロ状部材１３０及び第二サイコロ状部材１４０の左側面Ｌ及び右側面Ｒはセンター役物１２が邪魔で視認し難くなる。このようにして、第一サイコロ状部材１３０及び第二サイコロ状部材１４０がいずれかの面を真正面に向けて静止した場合であっても、遊技者に不自然な印象を与えることがなく、当該第一サイコロ状部材１３０及び第二サイコロ状部材１４０の出目が揃うことが無いように識別符号の付し方に細工を施していることを見抜かれ難くすることができる。
【００７４】
以上の如く、本実施形態に係る遊技機１（パチンコ遊技）の演出役物装置１００は、互いに面数が等しい第一サイコロ状部材１３０（第一のサイコロ状部材）及び第二サイコロ状部材１４０（第二のサイコロ状部材）と、第一サイコロ状部材１３０及び第二サイコロ状部材１４０を遊技者から視認可能となるように収容する収容部１１０と、第一サイコロ状部材１３０及び第二サイコロ状部材１４０を収容部１１０内で転動させる転動手段１２０と、を具備する遊技機１の演出役物装置１００であって、第一サイコロ状部材１３０及び第二サイコロ状部材１４０の面数と同数（６つ）の種類を有する識別符号のうち、半数の種類の識別符号（奇数の識別符号）が第一サイコロ状部材１３０に、もう半数の種類の識別符号（偶数の識別符号）が第二サイコロ状部材１４０に、それぞれ割り当てられ、第一サイコロ状部材１３０に割り当てられた各識別符号は、対面に同一種類の識別符号が位置するように当該第一サイコロ状部材１３０の各面に付され、第二サイコロ状部材１４０に割り当てられた各識別符号は、対面に同一種類の識別符号が位置するように当該第二サイコロ状部材１４０の各面に付されることを特徴とするものである。
このように構成することにより、２つのサイコロ状部材（第一サイコロ状部材１３０及び第二サイコロ状部材１４０）の出目が揃うことがないため、誤って遊技者に期待感を抱かせることがなく、また当該遊技者に不自然な印象を与えることもない。
【００７５】
また、第二サイコロ状部材１４０の大きさ及び形状は、第一サイコロ状部材１３０と略同一となるように形成されている。
このように構成することにより、遊技者からは第一サイコロ状部材１３０と第二サイコロ状部材１４０との区別がつき難くなり、第一サイコロ状部材１３０に奇数の識別符号しか付されていないことや、第二サイコロ状部材１４０に偶数の識別符号しか付されていないことが見抜かれ難くなる。
さらに、第一サイコロ状部材１３０及び第二サイコロ状部材１４０に対して収容部１１０の収容空間を大きくしたり、第一サイコロ状部材１３０及び第二サイコロ状部材１４０の角を丸く落として転動し易くしたり、転動手段１２０を急激に動作させたりして、演出役物装置１００による演出（第一サイコロ状部材１３０及び第二サイコロ状部材１４０の転動）の際に、第一サイコロ状部材１３０及び第二サイコロ状部材１４０の位置関係（左右や前後）を入れ換え易くすることで、よりいっそう遊技者からは第一サイコロ状部材１３０と第二サイコロ状部材１４０との区別がつき難くなる。
【００７６】
また、本実施形態に係る第一サイコロ状部材１３０には奇数の識別符号が割り当てられ、第二サイコロ状部材１４０には偶数の識別符号が割り当てられている。
このように構成することにより、当該識別符号の割り当て方を知っている者であれば、第一サイコロ状部材１３０と第二サイコロ状部材１４０とを一見して区別することができる。これによって、当該演出役物装置１００を組み付ける際の組付作業や確認（第一サイコロ状部材１３０及び第二サイコロ状部材１４０が１つずつ収容部１１０内に収容されているかどうか、誤って同じ部材が２つ収容されていないかの確認）を容易に行うことができる。
【００７７】
なお、本発明に係る収容部の構成は、本実施形態に係る収容部１１０に限るものではなく、第一サイコロ状部材１３０及び第二サイコロ状部材１４０を遊技者から視認可能となるように収容するものであれば良い。
例えば、ベース部材１１１の形状は略直方体に限るものではなく、またカバー部材１１３は球面を有する形状に限るものではない。
【００７８】
また、本実施形態においては、第一サイコロ状部材１３０には奇数の識別符号を、第二サイコロ状部材１４０には偶数の識別符号を、それぞれ割り当てるものとしたが、本発明はこれに限るものではなく、奇数か偶数かに関係なく任意の種類の識別符号をそれぞれ割り当てる構成とすることも可能である。
【００７９】
また、本発明に係る識別符号は、本実施形態に係る識別符号（１から６までを意味する小さな点（目））に限るものではなく、数字そのものや、その他の図柄であっても良い。
【００８０】
また、本発明に係る第一のサイコロ状部材及び第二のサイコロ状部材は、本実施形態に係る第一サイコロ状部材１３０及び第二サイコロ状部材１４０（略正六面体）に限るものではなく、例えば図１１に示すように、略正十二面体となるように形成することも可能である。
第一のサイコロ状部材の他の実施形態に係る第一サイコロ状部材２３０は略正十二面体となるように形成される。第一サイコロ状部材２３０の各面には奇数の数字からなる識別符号が付され、かつ対面には同一種類の識別符号が付される。
第二のサイコロ状部材の他の実施形態に係る第二サイコロ状部材２４０は略正十二面体となるように形成される。第二サイコロ状部材２４０の各面には偶数の数字からなる識別符号が付され、かつ対面には同一種類の識別符号が付される。
【００８１】
本発明に係る第一のサイコロ状部材及び第二のサイコロ状部材は、正十二面体だけでなく、その他の正多面体となるように形成することも可能であるが、静止した際に何らかの出目をその上面に示すことができるように、各面が対面を有するものであることが望ましい。
【００８２】
以下では、図１２を用いて、本発明に係る演出役物装置の第二実施形態である演出役物装置２００の構成について説明する。
【００８３】
演出役物装置２００は、主として収容部２１０、転動手段２２０、第一サイコロ状部材１３０及び第二サイコロ状部材１４０を具備する。第一サイコロ状部材１３０及び第二サイコロ状部材１４０については第一実施形態に係る演出役物装置１００と同じものであるため、説明を省略する。
【００８４】
収容部２１０は、第一サイコロ状部材１３０及び第二サイコロ状部材１４０を遊技者から視認可能となるように収容するものである。収容部２１０は、主として、ベース部材２１１、回転部材２１２及びカバー部材２１３を具備する。
【００８５】
ベース部材２１１は、収容部２１０の土台となるものである。ベース部材２１１は、平面視略正方形状の上面（及び底面）を有する略直方体状に形成される。ベース部材２１１には、貫通孔２１１ａが形成される。
【００８６】
貫通孔２１１ａは、ベース部材２１１の略中央部において、当該ベース部材２１１を上下方向に貫通するように形成される。貫通孔２１１ａは、平面視円形状となるように形成される。
【００８７】
回転部材２１２は、第一サイコロ状部材１３０及び第二サイコロ状部材１４０が載置される部分（底部）を形成するものである。回転部材２１２は、その板面を上下方向に向けた状態で、平面視円形状となるように形成される。回転部材２１２は、平面視においてベース部材２１１の貫通孔２１１ａよりも一回り小さくなるように形成され、当該貫通孔２１１ａ内に配置される。
【００８８】
カバー部材２１３は、ベース部材２１１の貫通孔２１１ａを上方から覆うものである。カバー部材２１３は、アクリル樹脂やポリカーボネート（ＰＣ）等の透過性を有する部材によって形成される。カバー部材２１３は、内部が空洞となるように形成され、かつ球面を上方に向けて配置された半球状となるように形成される。カバー部材２１３は、ベース部材２１１の左右略中央部において、当該ベース部材２１１の貫通孔２１１ａを上方から覆うように当該ベース部材２１１に固定される。
【００８９】
上述の如く構成された収容部２１０において、ベース部材２１１、回転部材２１２及びカバー部材２１３によって囲まれた空間が、第一サイコロ状部材１３０及び第二サイコロ状部材１４０を収容する空間（収容空間）となる。またこの際、当該第一サイコロ状部材１３０及び第二サイコロ状部材１４０は、透明なカバー部材２１３を介して前方の遊技者から視認可能とされる。
【００９０】
転動手段２２０は、第一サイコロ状部材１３０及び第二サイコロ状部材１４０を収容部１１０内で転動させるものである。転動手段２２０は、軸線回りに回転可能な回転軸２２１を有するモータによって構成される。転動手段２２０は、回転軸２２１を上方に向けた状態で、回転部材２１２の下方に配置される。当該転動手段２２０の回転軸２２１の上端は、回転部材２１２の下面に連結される。転動手段２２０は、回転部材２１２の上面とベース部材２１１の上面の高さが一致するように配置される。このように構成された転動手段２２０において、当該転動手段２２０の回転軸２２１を回転させると、ベース部材２１１の貫通孔２１１ａ内で回転部材２１２を回転させることができる。
【００９１】
なお、転動手段２２０は図示せぬ制御装置に接続され、当該制御装置によってその回転動作（回転するタイミング等）が制御される。
【００９２】
このように構成された演出役物装置２００において、演出を行う場合、転動手段２２０の回転軸２２１を回転させる。これによって、回転部材２１２が回転し、当該回転部材２１２上に載置された第一サイコロ状部材１３０及び第二サイコロ状部材１４０が転動する。
【００９３】
所定時間だけ転動手段２２０の回転軸２２１を回転させた後、当該回転を停止させると、第一サイコロ状部材１３０及び第二サイコロ状部材１４０は徐々に転動する勢いを失い、最終的に６つの面のうちのいずれか一面を上に向けた状態で静止する。このようにして、第一サイコロ状部材１３０及び第二サイコロ状部材１４０が転動する様子を遊技者に視認させることで、当該遊技者に視覚的な印象（インパクト）を与え、その遊技者の興趣を高めることができる。
【符号の説明】
【００９４】
１：遊技機，１２：センター役物，１００：演出役物装置，１１０：収容部，１２０：転動手段，１３０：第一サイコロ状部材，１４０：第二サイコロ状部材
【図１】
2014008355.tif 000003
【図２】
2014008355.tif 000004
【図３】
2014008355.tif 000005
【図４】
2014008355.tif 000006
【図５】
2014008355.tif 000007
【図６】
2014008355.tif 000008
【図７】
2014008355.tif 000009
【図８】
2014008355.tif 000010
【図９】
2014008355.tif 000011
【図１０】
2014008355.tif 000012
【図１１】
2014008355.tif 000013
【図１２】
2014008355.tif 000014